(57)【要約】本発明は、通信ネットワーク１と、それぞれが瞬間状態ＳＴＡＴ＿１からＳＴＡＴ＿３をとる複数の周辺機器３１から３３と、これらの周辺機器３１から３３を定期的に走査して、瞬間状態ＳＴＡＴ＿１からＳＴＡＴ＿３を読み取るコントローラ２とを含む、状態の遠隔読取装置に関する。本発明によれば、通信ネットワーク１は、電磁手段により周辺機器３１から３３をコントローラ２に接続し、これらの周辺機器３１から３３は、この通信ネットワーク１を介して電気エネルギーを給電される。ガルバーニ電流によるいかなる接続も備えず、いかなる個々のエネルギー源も備えない周辺機器により、エレベータの呼び出し管理に適用される。
2005536083.tif 000002
【特許請求の範囲】
【請求項１】
通信ネットワーク（１）と、該通信ネットワーク（１）に接続された中央コントローラ（２）と、通信ネットワーク（１）を介してコントローラ（２）に接続される複数の周辺機器（３１から３３）とを含んでおり、各周辺機器（３１から３３）が、考えられる複数の状態に属する一つの瞬間状態（ＳＴＡＴ＿１からＳＴＡＴ＿３）を各瞬間にとり、コントローラ（２）が、周辺機器（３１から３３）を定期的に走査して瞬間状態（ＳＴＡＴ＿１からＳＴＡＴ＿３）を読み取る、状態の遠隔読取装置であって、通信ネットワーク（１）が、電磁手段により周辺機器（３１から３３）をコントローラ（２）に接続し、周辺機器（３１から３３）が、通信ネットワーク（１）を介して電気エネルギーを供給されることを特徴とする状態の遠隔読取装置。
【請求項２】
通信ネットワーク（１）が、コントローラ（２）により給電される直列回路を含み、該回路が、複数の電磁誘導ループ（１１、１２、１３）を含むことを特徴とする、請求項１に記載の状態の遠隔読取装置。
【請求項３】
各周辺機器（３１から３３）が、該周辺機器に固有の識別コード（ＫＩＤ＿１からＫＩＤ＿３）を有し、コントローラ（２）が、コンフィギュレーションメモリ（２１）を有し、各周辺機器（３１から３３）に対して、周辺機器の識別コード（ＫＩＤ＿１からＫＩＤ＿３）と、ネットワーク（１）における周辺機器（３１から３３）の場所を識別する位置特定パラメータ（ＬＯＣ＿１からＬＯＣ＿３）とが、前記メモリに相関的に保存され、コントローラ（２）は、各周辺機器（３１から３３）に対して、周辺機器（３１から３３）の瞬間状態（ＳＴＡＴ＿１からＳＴＡＴ＿３）と周辺機器の識別コード（ＫＩＤ＿１からＫＩＤ＿３）とを読み取り、その結果、読み取られた瞬間状態（ＳＴＡＴ＿１からＳＴＡＴ＿３）の各々が、コントローラ（２）により、ネットワーク（１）の一定の場所と相関関係に置かれることを特徴とする、請求項１または２に記載の状態の遠隔読取装置。
【請求項４】
各周辺機器（３１から３３）が、送受信回路（４２１、４２２、４２３）に加えて、少なくとも一つの状態エンコーダ（６１、６２、６３）を含んでおり、該状態エンコーダが、前記周辺機器の瞬間状態を構成するかまたは瞬間状態の構成に寄与する一定の瞬間状態（ＳＴＡＴ＿１からＳＴＡＴ＿３）をとり、前記状態エンコーダ（６１、６２、６３）は、前記周辺機器（３１から３３）が状態エンコーダ（６１、６２、６３）の瞬間状態（ＳＴＡＴ＿１からＳＴＡＴ＿３）をコントローラ（２）に伝達できるように、送受信回路（４２１、４２２、４２３）に接続されることを特徴とする、請求項１から３のいずれか一項に記載の状態の遠隔読取装置。
【請求項５】
各周辺機器（３１から３３）が、電子ラベル（４）を含み、該電子ラベル（４）が、周辺機器（３１から３３）に割り当てられた識別コード（ＫＩＤ＿１からＫＩＤ３）を含むメモリ（４１１、４１２、４１３）と、通信ネットワーク（１）の誘導ループ（１１、１２、１３）に結合されて、誘導ループから伝達される電気エネルギーを受け取るローカルアンテナ（４０１、４０２、４０３）と、送受信回路（４２１、４２２、４２３）とを備え、前記送受信回路が、ローカルアンテナ（４０１、４０２、４０３）に接続されて、少なくともコントローラ（２）から伝達命令を受信するとともに、エンコーダ（６１、６２、６３）の瞬間状態（ＳＴＡＴ＿１からＳＴＡＴ＿３）に加えて、ラベルの識別コード（ＫＩＤ＿１からＫＩＤ＿３）をコントローラ（２）に伝達することを特徴とする、請求項２から４のいずれか一項に記載の状態の遠隔読取装置。
【請求項６】
各周辺機器（３１から３３）が、状態エンコーダ（６１、６２、６３）として、電気接点等の少なくとも一つの指示装置（６１１、６２１、６３１）を含むことを特徴とする、請求項４または５に記載の状態の遠隔読取装置。
【請求項７】
各周辺機器（３１から３３）が、状態エンコーダとして、周辺機器が従う物理的なパラメータの影響を感知する少なくとも一つのセンサを含むことを特徴とする、請求項４から６のいずれか一項に記載の状態の遠隔読取装置。
【請求項８】
各周辺機器（３１から３３）が、さらに、表示装置（７１、７２、７３）を含むことを特徴とする、請求項４から７のいずれか一項に記載の状態の遠隔読取装置。
【請求項９】
各周辺機器（３１から３３）が制御端子を形成する、遠隔制御管理への請求項１から８のいずれか一項に記載の装置の適用方法。
【請求項１０】
各周辺機器（３１から３３）が呼び出し端子を形成する、請求項１から８のいずれか一項に記載の装置の遠隔呼び出し管理への適用方法。
【請求項１１】
各周辺機器（３１から３３）が、建物の階（ＥＴＧ＿１からＥＴＧ＿３）等の特定の場所に設置されて、エレベータ等の輸送手段用の呼び出し端子を形成する、請求項１０に記載の適用方法。
【請求項１２】
各周辺機器（３１から３３）の状態エンコーダが、電気接点等の複数の指示装置（６１１、６１２、６２１、６２２、６３１、６３２）を含んでおり、該指示装置の各々が、特定の場所によって示される出発位置から、輸送手段に割り当てられる行先を識別することを特徴とする、請求項１１に記載の適用方法。
【発明の詳細な説明】
【技術分野】
【０００１】
本発明は、一般に、情報技術の分野に関する。
【０００２】
より詳しくは、本発明は、その第一の態様によれば、通信ネットワークと、この通信ネットワークに接続された中央コントローラと、通信ネットワークを介してコントローラに接続される複数の周辺機器とを含んでおり、各周辺機器が、考えられる複数の状態に属する一つの瞬間状態を各瞬間にとり、コントローラが、周辺機器を定期的に走査して瞬間状態を読み取る、状態の遠隔読取装置に関する。
【背景技術】
【０００３】
知られている多数の装置が上記の規定に当てはまるが、これらの装置は、一般に精巧な手段を使用しているので、構造が比較的複雑化する。
【発明の開示】
【発明が解決しようとする課題】
【０００４】
こうした状況で、本発明は、このような知られている装置と同じである動作を、今日広く知られている簡単な実施手段によって提供可能にする技術を提案することを目的とする。
【課題を解決するための手段】
【０００５】
このため、上の序文に記載された包括的な規定に適合する本発明の装置は、通信ネットワークが、電磁手段により周辺機器をコントローラに接続し、周辺機器が、この通信ネットワークを介して電気エネルギーを供給されることを主に特徴とする。
【０００６】
この構成により、接続技術に関するあらゆる問題が著しく低減される。
【０００７】
たとえば、通信ネットワークは、コントローラにより給電される直列回路を単に含むだけとすることができ、この回路が、複数の電磁誘導ループを含む。
【０００８】
本発明による装置は、状態の位置が特定される遠隔読み取りに適用可能であり、その場合、各周辺機器が、この周辺機器に固有の識別コードを有し、コントローラが、コンフィギュレーションメモリを有し、各周辺機器に対して、この周辺機器の識別コードと、ネットワークにおける周辺機器の場所を識別する位置特定パラメータとがこのメモリに相関的に保存され、コントローラは、この周辺機器の瞬間状態とその識別コードとを各周辺機器に対して読み取り、その結果、読み取られた瞬間状態の各々が、コントローラにより、ネットワークの一定の場所と相関関係に置かれる。
【０００９】
検討される用途がどのようなものであっても、各周辺機器は、送受信回路に加えて、少なくとも一つの状態エンコーダを含むことができ、このエンコーダは、この周辺機器の瞬間状態を構成するかまたは瞬間状態の構成に寄与する一定の瞬間状態をとり、この状態エンコーダは、この周辺機器がコントローラにエンコーダの瞬間状態を伝達できるように送受信回路に接続されている。
【００１０】
本発明の可能な実施形態では、各周辺機器が、この周辺機器に割り当てられた識別コードを含むメモリと、通信ネットワークの誘導ループに接続されて、この誘導ループから伝達される電気エネルギーを受け取るローカルアンテナと、送受信回路とを備えた、電子ラベルを含んでおり、この送受信回路が、ローカルアンテナに接続されて、少なくともコントローラから伝達命令を受信するとともに、エンコーダの瞬間状態に加えて、このラベルの識別コードをコントローラに伝達する。
【００１１】
電子ラベルは、「無線ラベル」、「インテリジェントラベル」とも呼ばれ、あるいはまた「インテリジェントラベル」に相当する英語名で「スマートカード」とも呼ばれており、今日では、特に盗難防止システム、偽造防止保護、商品集配媒体の管理、発送または受領確認等の、多数の自動識別用途で広く用いられている。
【００１２】
本発明は、様々な場所に配置された状態を遠隔で読み取る電子ラベルの使用を提案することにより、ＲＦＩＤ（「Ｒａｄｉｏ  Ｆｒｅｑｕｅｎｃｙ  Ｉｄｅｎｔｉｆｉｃａｔｉｏｎ」）という略語で広く認められた確実な無線周波数識別技術を、空間での位置特定に広げることを実際には提案し、それによって、アドレッシング技術につきものの複雑性を回避するものである。
【００１３】
たとえば、各周辺機器は、状態エンコーダとして、電気接点等の少なくとも一つの指示装置（ｏｒｇａｎｅ  ｄｅ  ｃｏｎｓｉｇｎｅ）を含む。
【００１４】
しかしながら、各周辺機器は、また、状態エンコーダとして、この周辺機器が従う物理的なパラメータの影響を感知する少なくとも一つのセンサを含むこともできる。
【００１５】
本発明による装置の有用性は、各周辺機器に表示装置を装備することにより、さらに高められる。
【００１６】
この装置は、一般に、遠隔制御管理に適用可能であり、各周辺機器は、この周辺機器がとる瞬間状態により符号化された所定の命令を、コントローラに伝送可能にする制御端子を形成する。
【００１７】
装置が、状態の位置を特定する遠隔読み取りに使用される場合、この装置は、遠隔呼び出し管理に適用可能であり、各周辺機器が呼び出し端子を形成する。
【００１８】
特に、各周辺機器は、建物の階等の特定の場所に設置されて、エレベータ等の輸送手段用の呼び出し端子を形成することができる。
【００１９】
さらに、各周辺機器の状態エンコーダが電気接点等の複数の指示装置を含む場合、これらの指示装置の各々が、特定の場所によって示される出発位置から、輸送手段に割り当てられる行先を識別することができる。
【００２０】
たとえば、エレベータのユーザは、このユーザがいる階でエレベータを呼び出せるだけではなく、さらに、ユーザの呼び出しによって、自分が行こうとする階が何階であるか指示することができる。
【００２１】
本発明の他の特徴および長所は、添付図面に関して少しも限定的ではなく例として示したいかの説明から明らかになるであろう。
【発明を実施するための最良の形態】
【００２２】
前述のように、本発明は、通信ネットワーク１と、この通信ネットワーク１に接続された中央コントローラ２と、通信ネットワーク１を介してコントローラ２に接続された複数の周辺機器３１から３３とを含むタイプの状態の遠隔読取装置（図３）に関する。
【００２３】
各周辺機器３１から３３は、先験的に可能な状態の集合の中から、各周辺機器３１から３３に対してそれぞれＳＴＡＴ＿１、ＳＴＡＴ＿２、ＳＴＡＴ＿３と記される瞬間状態を各瞬間にとり、コントローラ２は、周期的にこれらの周辺機器３１から３３を走査してそれぞれの瞬間状態を読み取る。
【００２４】
本発明による装置とこのタイプの知られている装置との相違点は、まず、通信ネットワーク１が、電磁手段により周辺機器３１から３３等をコントローラ２に接続すること、また、周辺機器が、通信ネットワーク１を介して電気エネルギーを供給されることにある。
【００２５】
この構成により、通信ネットワークが存在しさえすれば、別の給電網を設ける必要性がなく、それと同時に、各周辺機器をポイントツーポイントで電気接続する必要性をなくすことができる。
【００２６】
たとえば、通信ネットワーク１は、それ自体がコントローラ２により給電されて、複数の電磁誘導ループ１１、１２、１３等（図２、３）を備える直列回路を含んでおり、この直列回路を流れるパワー電気信号の周波数は、一般に５００ｋＨｚ未満であって、たとえば１２５ｋＨｚに変調される。
【００２７】
各周辺機器３１、３２、または３３は、さらに、状態エンコーダ６１、６２、または６３と、送受信回路４２１、４２２、または４２３とを含んでおり、状態エンコーダ６１、６２、または６３は、この周辺機器の瞬間状態ＳＴＡＴ＿１、ＳＴＡＴ＿２、またはＳＴＡＴ＿３を発生可能であって、この周辺機器の送受信回路４２１、４２２、または４２３に接続されることにより、瞬間状態ＳＴＡＴ＿１、ＳＴＡＴ＿２、またはＳＴＡＴ＿３をコントローラ２に伝達可能にする。
【００２８】
こうした状況で、各周辺機器３１から３３は、通信ネットワーク１内の制御端子を形成可能であり、通信ネットワークは、この周辺機器がとる瞬間状態により符号化される命令をコントローラ２に伝達できる。
【００２９】
本発明による装置の進んだ実施形態では、状態の位置を特定する遠隔読み取りが可能であり、各周辺機器３１から３３等がさらに、この周辺機器に固有であり、かつ各周辺機器３１から３３に対してそれぞれＫＩＤ＿１、ＫＩＤ＿２、ＫＩＤ＿３と記される識別コードを有する。
【００３０】
このため、各周辺機器３１から３３は、好適には電子ラベル４等を含む（図１）。
【００３１】
電子ラベルは、一般に、メモリ４１１等と、ローカルアンテナ４０１等と、送受信回路４２１等とを備えており、この場合、送受信回路は、電子ラベルを備えた前述の周辺機器の送受信回路を構成可能である。
【００３２】
従って、各周辺機器３１、３２、３３のラベルは、メモリ４１１、４１２、４１３と、ローカルアンテナ４０１、４０２、４０３と、送受信回路４２１、４２２、４２３とをそれぞれ含む（図３）。
【００３３】
各メモリ４１１、４１２、または４１３は、対応する周辺機器３１、３２、または３３に割り当てられた識別コードＫＩＤ＿１、ＫＩＤ＿２、またはＫＩＤ＿３を含む。
【００３４】
各ローカルアンテナ４０１、４０２、または４０３は、通信ネットワーク１の誘導ループの一つ１１、１２、または１３に結合されて、この誘導ループから送られる電気エネルギーを受け取る。
【００３５】
さらに、各送受信回路４２１、４２２、または４２３は、対応するローカルアンテナ４０１、４０２、または４０３に接続されて、対応する誘導ループから、関与する周辺機器の給電に必要な電気エネルギーを受け取り、コントローラ２から伝達命令を受けて、このコントローラ２に、対応する周辺機器３１、３２、または３３の瞬間状態ＳＴＡＴ＿１、ＳＴＡＴ＿２、またはＳＴＡＴ＿３を伝達し、また、本発明の進んだ実施形態では、関与するラベルの識別コードＫＩＤ＿１、ＫＩＤ＿２、またはＫＩＤ＿３を伝達可能である。
【００３６】
図１および図３は、各状態エンコーダが、ユーザによりマニュアル作動される電気接点からなる２つの指示装置、すなわち、状態エンコーダ６１に対しては接点６１１、６１２、状態エンコーダ６２に対しては接点６２１、６２２、状態エンコーダ６３に対しては接点６３１、６３２を含む実施形態を示している。
【００３７】
しかし、各状態エンコーダは、このような指示装置に加えて、あるいは指示装置の代わりに、この周辺機器が従う一つまたは複数の物理的なパラメータの影響を感知しうる一つまたは複数のセンサを含むことができる。
【００３８】
各周辺機器３１、３２、または３３は、この周辺機器に装備される電子ラベルに対して外側または内側にある処理ユニット５１、５２、または５３を備えており、処理ユニットは、この周辺機器の送受信回路４２１、４２２、または４２３に接続されて、送受信回路がこの状態を考慮するように、瞬間状態ＳＴＡＴ＿１、ＳＴＡＴ＿２、またはＳＴＡＴ＿３を収集し、符号化し、および／または波形成形する役割を果たす。
【００３９】
状態の位置特定遠隔読み取りの場合に重要な本発明の別の態様によれば、コントローラ２が、コンフィギュレーションメモリ２１を含んでおり、各周辺機器３１、３２、または３３に対して、この周辺機器の識別コードＫＩＤ＿１、ＫＩＤ＿２、またはＫＩＤ＿３と、通信ネットワーク１内でこの周辺機器の場所を識別する位置特定パラメータＬＯＣ＿１、ＬＯＣ＿２、またはＬＯＣ＿３とが、このメモリに保存される。各周辺機器の位置特定パラメータは、この同じ周辺機器の識別コードと相関関係に置かれ、すなわち関連付けられる。
【００４０】
当業者がこの説明を読めば容易に理解するように、コントローラ２のコンフィギュレーションメモリ２１における、各周辺機器の位置特定パラメータと、この同じ周辺機器の識別コードとの組み合わせは、本発明による装置の設置段階で、それ自体知られている手段を用いることにより行われる。
【００４１】
この構成により、コントローラ２は、コントローラが走査する各周辺機器３１、３２、または３３の瞬間状態ＳＴＡＴ＿１、ＳＴＡＴ＿２、またはＳＴＡＴ＿３と、識別コードＫＩＤ＿１、ＫＩＤ＿２、またはＫＩＤ＿３とを同時に読み取ることによって、読み取られた各瞬間状態を、通信ネットワーク１の所定の場所に関連づけることができる。
【００４２】
こうした状況で、各周辺機器３１から３３は、通信ネットワーク１内の呼び出し端子を形成可能であり、コントローラ２は、これらの周辺機器または呼び出し端子３１から３３を介して遠隔呼び出し管理を実施する。
【００４３】
図３から図５は、本発明による装置を、エレベータの管理に適用した例を示している。
【００４４】
この例では、コントローラ２が接続される通信ネットワーク１が、たとえば各エレベータドアＰＴ＿１、ＰＴ＿２、ＰＴ＿３の右側で、エレベータのカラムの前面を閉じる垂直隔壁ＣＬの側に一定の間隔をおいて配置された、誘導ループ１１、１２、１３等を含む。
【００４５】
周辺機器３１、３２、３３は、対応する各階ＥＴＧ＿１、ＥＴＧ＿２、ＥＴＧ＿３で、隔壁ＣＬの反対側に配置される。
【００４６】
誘導ループ１１、１２、１３が隔壁ＣＬを介して及ぼすことができる電磁誘導の影響により、各周辺機器３１、３２、３３が、通信ネットワーク１でコントローラ２と通信するので、これらの周辺機器を、たとえば、対応するドアＰＴ＿１、ＰＴ＿２、ＰＴ＿３の付近で、単に隔壁ＣＬに貼り付けてもよい。
【００４７】
この場合、コントローラ２のコンフィギュレーションメモリ２１に保存された位置特定パラメータＬＯＣ＿１、ＬＯＣ＿２、ＬＯＣ＿３等が、各階を表すので、周辺機器３１の識別コードＫＩＤ＿１は、この周辺機器が設置された１階を示す位置特定パラメータＥＴＧ＿１に関連付けられ、周辺機器３２の識別コードＫＩＤ＿２は、この周辺機器が設置された２階を示す位置特定パラメータＥＴＧ＿２に関連付けられるといったようになる。
【００４８】
コンフィギュレーションメモリ２１以外に、コントローラ２は、通信ネットワーク１で電気エネルギー伝達および情報伝達を行う送受信回路２２と、このコントローラ内の情報処理全体を行ってコンフィギュレーションメモリ２１への読み込み書き込みアクセスを行う処理ユニット２３と、この処理ユニット２３により制御されて、処理ユニット２３とエレベータの制御回路８とを接続するインターフェース２４とを含む。
【００４９】
各周辺機器３１、３２、３３は、下の階に降りる意思を示すボタンによりユーザが制御可能な電気接点６１１、６２１、６３１と、上の階に上る意思を示すボタンによりユーザが制御可能な電気接点６１２、６２２、６３２とを備える。
【００５０】
たとえば、ユーザが、２階ＥＴＧ＿２に配置された周辺機器３２の接点６２２のボタンを押すと、コントローラ２は、この周辺機器から識別コードＫＩＤ＿２と状態エンコーダ６２の状態ＳＴＡＴ＿２とを受信し、この状態ＳＴＡＴ＿２が、接点６２２のボタンの作動を示す。
【００５１】
そのため、コントローラ２は、メモリ２１の読み取りにより、階ＥＴＧ＿２、すなわち２階にいるユーザが、エレベータを呼んで、上の階に行く意思を明確に示したことを知らされる。
【００５２】
従って、この呼び出しは、コントローラのインターフェース２４を介して、エレベータの制御回路８に伝達可能であり、制御回路は、上の階に行くのに最適な利用可能なエレベータキャビンを２階に回す役目をする。
【００５３】
もちろん、各周辺機器につけるボタンを１個だけにすることもでき、その場合、ボタンの作動は、先験的に任意の行先のためのエレベータの呼び出しとみなされ、ユーザは、エレベータキャビン内に入ってから所望の階のボタンを作動して行き先を示す。
【００５４】
その反対に、各周辺機器３１、３２、または３３は、上の階に行く呼び出しボタンのみ、また下の階に行く呼び出しボタンのみを備える代わりに、ユーザが、行き先の階を特別に示すことができるキー操作パネルを状態エンコーダ６１、６２、または６３として備えていてもよく、そうした場合は、各状態エンコーダの状態ＳＴＡＴ＿１、ＳＴＡＴ＿２、またはＳＴＡＴ＿３を、先験的に任意の数のビットで表示することができる。
【００５５】
図１および図３が示すように、各周辺機器３１、３２、または３３等は、さらに、表示装置７１、７２、または７３を含むことができ、表示装置は、コントローラ２が受信する表示命令を送受信回路４２１、４２２、または４２３から表示装置に再送する、処理ユニット５１、５２、または５３に接続される。
【００５６】
このようにして、表示装置７１、７２、または７３は、各周辺機器の場所で、エレベータキャビンの動きの瞬間的な方向、またはこのキャビンが到達する階の番号といった、これらの周辺機器の全体に対する関連情報を利用提供することができる。
【００５７】
当業者がこの説明を読んで理解するように、図示された実施形態の隔壁ＣＬは、周辺機器３１から３３に対して支持体の機能を果たすとともに、アンテナ４０１から４０３より誘導ループ１１から１３を分離する誘電体の機能を果たす。
【００５８】
従って、本発明の他の用例でも、建物の隔壁を構成可能な材料とは全く異なる材料により、上記のような機能を果たすことができる。
【００５９】
たとえば、部屋の壁に貼る壁紙が、これらの壁を網羅する誘導ループ網を含むか、またはこうした誘導ループ網を被覆するようにして、複数の周辺機器に対して支持体の役割を果たすことができる。周辺機器は、たとえば表面に貼られる簡易ラベルの形状をとり、部屋全体に配分される個々の照明または電気設備を選択的に遠隔制御可能である。
【００６０】
同様に、ジャンパー等の洋服地に誘導ループ網を網羅させて、この服地が、洋服の襟に収容される磁気テープまたはＣＤ−ＲＯＭの読取装置等の、電気設備用の制御装置の支持体の役割を果たすようにすることができ、制御装置は、たとえば簡単なマジックテープ（登録商標）により洋服に取り付けられる。
【図面の簡単な説明】
【００６１】
【図１】主要構成部品として電子ラベルを用いた、本発明による装置で使用される周辺機器の概略図である。
【図２】本発明による装置で図１の周辺機器と協働可能な中央コントローラを示す概略図である。
【図３】本発明による装置の概略的な全体図である。
【図４】本発明による装置により管理されるエレベータを備えた建物の分かりやすい斜視図である。
【図５】図４の矢印Ｖ−Ｖにより画定される投射に沿った同建物の断面図である。
【図１】
2005536083.tif 000003
【図２】
2005536083.tif 000004
【図３】
2005536083.tif 000005
【図４】
2005536083.tif 000006
【図５】
2005536083.tif 000007
【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
通信ネットワーク（１）と、通信ネットワーク（１）に接続された中央コントローラ（２）と、通信ネットワーク（１）を介してコントローラ（２）に接続される複数の周辺機器（３１から３３）とを含んでおり、各周辺機器（３１から３３）が、考えられる複数の状態に属する一つの瞬間状態（ＳＴＡＴ＿１からＳＴＡＴ＿３）を各瞬間にとり、コントローラ（２）が、周辺機器（３１から３３）を定期的に走査して瞬間状態（ＳＴＡＴ＿１からＳＴＡＴ＿３）を読み取る、状態の遠隔読取システムであって、通信ネットワーク（１）が、無線周波数手段により周辺機器（３１から３３）をコントローラ（２）に接続し、周辺機器（３１から３３）が、通信ネットワーク（１）を介して電気エネルギーを供給されることを特徴とする状態の遠隔読取システム。
【請求項２】
通信ネットワーク（１）が、コントローラ（２）により給電される直列回路を含み、該回路が、複数の電磁誘導ループ（１１、１２、１３）を含むことを特徴とする、請求項１に記載の状態の遠隔読取システム。
【請求項３】
各周辺機器（３１から３３）が、該周辺機器に固有の識別コード（ＫＩＤ＿１からＫＩＤ＿３）を有し、コントローラ（２）が、コンフィギュレーションメモリ（２１）を有し、各周辺機器（３１から３３）に対して、周辺機器の識別コード（ＫＩＤ＿１からＫＩＤ＿３）と、ネットワーク（１）における周辺機器（３１から３３）の場所を識別する位置特定パラメータ（ＬＯＣ＿１からＬＯＣ＿３）とが、前記メモリに相関的に保存され、コントローラ（２）は、各周辺機器（３１から３３）に対して、周辺機器（３１から３３）の瞬間状態（ＳＴＡＴ＿１からＳＴＡＴ＿３）と周辺機器の識別コード（ＫＩＤ＿１からＫＩＤ＿３）とを読み取り、その結果、読み取られた瞬間状態（ＳＴＡＴ＿１からＳＴＡＴ＿３）の各々が、コントローラ（２）により、ネットワーク（１）の一定の場所と相関関係に置かれることを特徴とする、請求項１または２に記載の状態の遠隔読取システム。
【請求項４】
各周辺機器（３１から３３）が、送受信回路（４２１、４２２、４２３）に加えて、少なくとも一つの状態エンコーダ（６１、６２、６３）を含んでおり、該状態エンコーダが、前記周辺機器の瞬間状態を構成するかまたは瞬間状態の構成に寄与する一定の瞬間状態（ＳＴＡＴ＿１からＳＴＡＴ＿３）をとり、前記状態エンコーダ（６１、６２、６３）は、前記周辺機器（３１から３３）が状態エンコーダ（６１、６２、６３）の瞬間状態（ＳＴＡＴ＿１からＳＴＡＴ＿３）をコントローラ（２）に伝達できるように、送受信回路（４２１、４２２、４２３）に接続されることを特徴とする、請求項１から３のいずれか一項に記載の状態の遠隔読取システム。
【請求項５】
各周辺機器（３１から３３）が、電子ラベル（４）を含み、該電子ラベル（４）が、周辺機器（３１から３３）に割り当てられた識別コード（ＫＩＤ＿１からＫＩＤ３）を含むメモリ（４１１、４１２、４１３）と、通信ネットワーク（１）の誘導ループ（１１、１２、１３）に結合されて、誘導ループから伝達される電気エネルギーを受け取るローカルアンテナ（４０１、４０２、４０３）と、送受信回路（４２１、４２２、４２３）とを備え、前記送受信回路が、ローカルアンテナ（４０１、４０２、４０３）に接続されて、少なくともコントローラ（２）から伝達命令を受信するとともに、エンコーダ（６１、６２、６３）の瞬間状態（ＳＴＡＴ＿１からＳＴＡＴ＿３）に加えて、ラベルの識別コード（ＫＩＤ＿１からＫＩＤ＿３）をコントローラ（２）に伝達することを特徴とする、請求項２から４のいずれか一項に記載の状態の遠隔読取システム。
【請求項６】
各周辺機器（３１から３３）が、状態エンコーダ（６１、６２、６３）として、電気接点等の少なくとも一つの指示装置（６１１、６２１、６３１）を含むことを特徴とする、請求項４または５に記載の状態の遠隔読取システム。
【請求項７】
各周辺機器（３１から３３）が、状態エンコーダとして、周辺機器が従う物理的なパラメータの影響を感知する少なくとも一つのセンサを含むことを特徴とする、請求項４から６のいずれか一項に記載の状態の遠隔読取システム。
【請求項８】
各周辺機器（３１から３３）が、さらに、表示装置（７１、７２、７３）を含むことを特徴とする、請求項４から７のいずれか一項に記載の状態の遠隔読取システム。
【請求項９】
各周辺機器（３１から３３）が、遠隔制御管理用の制御端子を形成することを特徴とする、請求項１から８のいずれか一項に記載の状態の遠隔読取システム。
【請求項１０】
各周辺機器（３１から３３）が、遠隔呼び出し管理用の呼び出し端子を形成することを特徴とする、請求項１から８のいずれか一項に記載の状態の遠隔読取システム。
【請求項１１】
各周辺機器（３１から３３）が、建物の階（ＥＴＧ＿１からＥＴＧ＿３）等の特定の場所に設置されて、エレベータ等の輸送手段用の呼び出し端子を形成することを特徴とする、請求項１０に記載の状態の遠隔読取システム。
【請求項１２】
各周辺機器（３１から３３）の状態エンコーダが、電気接点等の複数の指示装置（６１１、６１２、６２１、６２２、６３１、６３２）を含んでおり、該指示装置の各々が、特定の場所によって示される出発位置から、輸送手段に割り当てられる行先を識別することを特徴とする、請求項１１に記載の状態の遠隔読取システム。
【国際調査報告】
2005536083.tif 000008
2005536083.tif 000009
2005536083.tif 000010
2005536083.tif 000011
2005536083.tif 000012
2005536083.tif 000013